(57)【要約】  【課題】本発明は、捕球用グローブ自体を変更するのではなく、捕球用グローブに塗るだけで容易に型付けを行うことができる捕球用グローブの型付け剤を提供する。  【解決手段】本発明は、保湿成分、柔軟成分および吸湿成分を含有する捕球用グローブの型付け剤を提供する。【選択図】  なし【特許請求の範囲】
【請求項１】
保湿成分、柔軟成分および吸湿成分を含有する捕球用グローブの型付け剤。
【請求項２】
前記保湿成分が、スクアラン、ヒアルロン酸およびそれらの混合物から選択される請求項１記載の捕球用グローブの型付け剤。
【請求項３】
前記柔軟成分が、コラーゲンである請求項１または２記載捕球用グローブの型付け剤。
【請求項４】
前記吸湿成分が、グリセリンである請求項１〜３いずれかに記載の捕球用グローブの型付け剤。
【請求項５】
前記保湿成分、柔軟成分および吸湿成分の合計量に基づいて、保湿成分３０〜４５重量％、柔軟成分１０〜４０重量％および吸湿成分３０〜４５重量％を含有する請求項１〜４いずれかに記載の捕球用グローブの型付け剤。
【請求項６】
さらに、溶剤および添加剤を含有する請求項１〜５いずれかに記載の捕球用グローブの型付け剤。
【請求項７】
前記添加剤が、安定剤、増粘剤、防腐剤、乳化剤、乳化安定剤、乳化促進剤および香料である請求項６記載の捕球用グローブの型付け剤。
【請求項８】
前記溶剤が、脱イオン水およびイソパラフィン系オイルである請求項７記載の捕球用グローブの型付け剤。
【発明の詳細な説明】
【技術分野】
【０００１】
本発明は、捕球用グローブの型付け剤、特に捕球用のグローブの表面に塗るだけで型付けが可能になる型付け剤を提供する。
【背景技術】
【０００２】
新品の捕球用グローブ、特に野球やソフトボール用のグローブ（以下、単に「グローブ」ということもある。）は、硬くて開けたり、閉じたりする操作が難しく、捕球時にミスをすることが多い。従って、グローブを購入すると、すぐに捕球がし易い型に型付けすることが行われている。
【０００３】
グローブの型付け方法としては、例えばオイルを塗り込んだり、熱湯の中に浸漬したり、あるいは水蒸気の中に入れて革を柔らかくしたりする。また、グローブ自体を揉んだり、木槌などでたたいたり、ボールを挟んだままにしたり、更に熱湯への浸漬や水蒸気への接触を組み合わせる種々の工程を経て、好みの型にしていくことが行われている。これらは、時間と根気のいる作業である。また、革製品に水を使用することは、基本的に好ましくないが、早く型付けをするために、やむを得ず熱湯や水蒸気を利用している。
【０００４】
特開２０１２−２４９８８６号公報（特許文献１）には、グローブの型付けの経験が少なくても、型付けを容易に行うことができる、あるいは型付けをしなくても使用できるグローブを提供するものであり、母指および小指の関節に相当する部分に、捕球面側への折り曲げ操作抵抗を低減する脆弱部を設けることが提案されている。しかしながら、指の長さは、人それぞれ異なっているので、正確に関節部分を特定するのが難しい。また、脆弱部分を作るということは、グローブの耐久性を犠牲にすることであり、好ましくない。
【０００５】
実開平５−２９５７２号公報（特許文献２）には、ゴルフや野球の打撃時のグローブに、吸湿剤（具体的には、グリセリン）を塗布または含浸させることが記載されている。これにより、グローブのしなやかさと柔らかさを長期にわたり保つことができるものである。しかし、この技術は、野球などのグローブの型付けを軽減するものではなく、グローブの柔らかさを長期間保持するためのものである。
【先行技術文献】
【特許文献】
【０００６】
【特許文献１】特開２０１２−２４９８８６号公報
【特許文献２】実開平５−２９５７２号公報
【発明の概要】
【発明が解決しようとする課題】
【０００７】
本発明は、捕球用グローブ自体を変更するのではなく、捕球用グローブに塗るだけで容易に型付けを行うことができる捕球用グローブの型付け剤を提供することを目的とする。
【課題を解決するための手段】
【０００８】
即ち、本発明は、保湿成分、柔軟成分および吸湿成分を含有する捕球用グローブの型付け剤を提供する。
【０００９】
本発明は、以下の態様を含む：
前記保湿成分が、スクアラン、ヒアルロン酸およびそれらの混合物から選択される捕球用グローブの型付け剤。
前記柔軟成分が、コラーゲンである捕球用グローブの型付け剤。
前記吸湿成分が、グリセリンである捕球用グローブの型付け剤。
前記保湿成分、柔軟成分および吸湿成分の合計量に基づいて、保湿成分３０〜４５重量％、柔軟成分１０〜４０重量％および吸湿成分３０〜４５重量％を含有する捕球用グローブの型付け剤。
さらに、溶剤および添加剤を含有する捕球用グローブの型付け剤。
前記添加剤が、安定剤、増粘剤、防腐剤、乳化剤、乳化安定剤、乳化促進剤および香料である捕球用グローブの型付け剤。
前記溶剤が、脱イオン水およびイソパラフィン系オイルである捕球用グローブの型付け剤。
【発明の効果】
【００１０】
本発明の型付け剤は、捕球用グローブ、特に野球やソフトボール用のグローブに塗布することによりグローブの塗布した部分が柔らかくなり、型付け作業が容易にできるようになる。また、型付け剤による革の柔軟性は、長期にわたって保持されるので、型付け剤を塗布しながら使用している間に、揉み込みやボールの挟み込みなどの型付け作業を行うことができ、型付けが容易になる。また、もし柔らかさがなくなったなら、本発明の型付け剤を再度塗布するだけで、柔らかさが戻り、従来の型付け作業を不要にする。
【００１１】
本発明の捕球用グローブの型付け剤は、上述のように捕球用グローブの一部または全体に塗るだけで、塗布部分が柔らかくしなやかになり、従来行われていた熱湯に浸漬することや水蒸気にあてるなどの作業が不要になり、グローブ購入者の利便性が大きく向上する。また、従来行われていた熱湯に浸漬する作業や、水蒸気に曝す作業は不要であるので、革製品を痛めることもなく、より長期間の使用が可能になる。
【００１２】
本発明の捕球用グローブの型付け剤は、捕球用グローブに塗布するだけでよいので、従来技術のようにグローブ自体を変更してグローブの製造を複雑にするなど不具合点は全く生じない。
【発明を実施するための形態】
【００１３】
本発明の捕球用グローブの型付け剤は、保湿成分、柔軟成分および吸湿成分を必須成分として含む。本発明の型付け剤は、通常、上記の三成分のほかに、種々の添加剤および溶剤が含まれている。
【００１４】
保湿成分は、革製品表面に水分を保持して、水分の蒸発や拡散を防ぐ成分である。保湿成分は、人間の皮膚にも適用できるような天然保湿成分が好適であり、具体的にはスクアラン、ヒアルロン酸、アロエベラジェル、ベタイン、キトサン、尿素、トレハロース、プルラン、ローヤルゼリー、デオキシリボ核酸ナトリウム、リボ核酸ナトリウム、ナイアシンアミド、ワセリンなどが挙げられる。これらの保湿成分の中で、スクアランおよびヒアルロン酸が好ましく、特にスクアランとヒアルロン酸の組み合わせが最も好適である。保湿成分としては、グリセリンやプロピレングリコールも含まれることもあるが、本発明ではグリセリンやプロピレングリコールは、吸湿成分として分類している。
【００１５】
保湿成分は、本発明の捕球用グローブの型付け剤の主要三成分（保湿成分、柔軟成分および吸湿成分）の総重量に基づいて、３０〜４５重量％、好ましくは３２〜４５重量％、より好ましくは３５〜４４重量の量で型付け剤中に含まれる。保湿成分が３０重量％より少ないと、捕球用グローブの表面がしっとりと柔らかくならず、４５重量％より多くても効果が上がらない。
【００１６】
柔軟成分は、革の表面に浸透して柔軟性を保つものであり、やはり天然由来の成分が好ましい。柔軟成分の例としては、コレステロール、コラーゲン、オリーブ油、イソロイシンなどが挙げられる。柔軟成分は、特に好ましくはコラーゲンである。
【００１７】
保湿成分は、本発明の捕球用グローブの型付け剤の主要三成分（保湿成分、柔軟成分および吸湿成分）の総重量に基づいて、１０〜４０重量％、好ましくは１０〜３５重量％、より好ましくは１１〜３０重量％の量で型付け剤中に含まれる。柔軟成分が１０重量％より少ないと、捕球用グローブの表面が柔らかくならず、４０重量％より多くても効果が上がらない。
【００１８】
吸湿成分は、前述のように、保湿成分として分類されるものもあるが、本発明では吸湿力の高いものを吸湿成分と分類する。吸湿成分は、グリセリンやプロピレングリコールなどが挙げられるが、グリセリンが好ましい。
【００１９】
吸湿成分は、本発明の捕球用グローブの型付け剤の主要三成分（保湿成分、柔軟成分および吸湿成分）の総重量に基づいて、３０〜４５重量％、好ましくは３２〜４５重要％、より好ましくは３５〜４４重量の量で型付け剤中に含まれる。吸湿成分が３０重量％より少ないと、捕球用グローブの表面がしっとりと柔らかくならず、４５重量％より多くても効果が上がらない。
【００２０】
本発明の捕球用グローブの型付け剤は、通常の場合、種々の添加剤および溶剤を含む。溶剤は、型付け剤を液状にする場合には液状のものを用い、固形ゲル状にする場合には固形ゲル状を形成する溶剤を用いる。添加剤としては、型付け剤が液状の場合に、均質液状状態を保持するためのものを使用することができ、例えば安定剤、増粘剤、乳化剤（特に界面活性剤）、乳化安定剤、乳化促進剤などが考えられる。また、添加剤には、保存安定性のために、防腐剤、抗菌剤を入れてもよく、さらに香料や着色剤を入れてもよい。型付け剤が液状の時は、溶剤は脱イオン水や、イソパラフィン系オイル、炭化水素系溶剤、アルコール系溶剤、エーテル系溶剤、ケトン系溶剤などを用いてもよい。型付け剤が固形ゲル状の場合は、流動パラフィン、ワックスなどが用いられる。
【００２１】
本発明の捕球用グローブの型付け剤は、主要三成分が型付け剤の総重量の１０〜４０重量％、好ましくは１５〜３５重量％、より好ましくは２０〜４０重量％の量で存在すればよい。添加剤と溶剤の量は、特に限定的でなく、溶液や固形ゲルを形成することができればよい。
【００２２】
本発明の捕球用グローブの型付け剤は、上記の成分（主要三成分、添加剤および溶剤）を混合して、溶液、乳化液、固形ゲルのいずれかの形態で提供される。型付け剤は、捕球用グローブの型付けをしたい部分に塗ればよく、塗る方法は手や布、あるいは所望の塗布器具を用いて塗布すればよく、その後種々の方法でグローブ上に延ばせばよい。本発明の捕球用グローブの型付け剤は、型付けをしたい部分に適量取り、薄く延ばして塗れば、その部分が柔らかく、しなやかになり、その状態が長期間保持される。雨などで濡れて、型付け剤がとれてしまった場合は、また型付け剤を塗布すれば、もとのしなやかな状態が回復する。本発明の型付け剤は、人にやさしい天然材料を用いているので、手で塗布および延ばす作業をしても、特に問題は生じない。
【実施例】
【００２３】
本発明を実施例によりさらに詳細に説明する。本発明は、これら実施例に限定されるものと解してはならない。
【実施例１】
【００２４】
下記表１に記載する成分を混合して捕球用グローブの型付け剤（乳液状）を形成した。混合は、通常の混合器を用いて行った。
【００２５】
【表１】
2016052364.tif 000002
【００２６】
得られた型付け剤の適当量を手に取り、新品の野球用グローブの捕球部分に手で塗りつけた。充分すり込んでから、捕球部分を触ると革が柔らかくしなやかになっていることが分かった。そのままで、型付けを行ったグローブに匹敵する捕球性を示した。また、数日間時間をおいてから、捕球部分を触っても、革が柔らかくしなやかであった。捕球を実際に行っても、型付けを行ったグローブと同様の性能を示した。
【産業上の利用可能性】
【００２７】
本発明の捕球用グローブの型付け剤は、捕球用グローブに適量とってすり込み揉み込むだけで、型付けができるものであり、捕球用グローブの型付けに広く利用することができる。従来用いていた、グローブを湯につけたり、水蒸気を当てたりして型付けする必要がなくなる。